(57)【要約】【課題】雨水貯留浸透施設の貯留浸透槽などに設置される管口フィルターの通水部の詰まりを防止し、さらにフィルター部がへこんでしまうのを可及的に防止することのできる管口フィルターを提供する。【解決手段】フィルター部２４の外周縁部に、流入管９への取り付け部材２６が設置されるとともに、フィルター部２４の機械的強度を向上させるための骨部材２３が具備され、フィルター部２４が取り付け部材２６を介して流入管９に取り付けられた場合に、フィルター部２４の下方部に、通水部を構成する孔に比べて大きな開口３０が形成されていることを特徴とする。【選択図】図１
2009074288.tif 000002
【特許請求の範囲】
【請求項１】
フィルター部の外周縁部に、流入管への取り付け部材が設置されるとともに、前記フィルター部の機械的強度を向上させるための骨部材が具備され、前記フィルター部が前記取り付け部材を介して前記流入管に取り付けられた場合に、前記フィルター部の下方部に、通水部を構成する孔に比べて大きな開口が形成されていることを特徴とする雨水貯留浸透施設における管口フィルター。
【請求項２】
前記骨部材は、前記フィルター部を横断するように一体的に具備された線状部材であることを特徴とする請求項１に記載の管口フィルター。
【発明の詳細な説明】
【技術分野】
【０００１】
本発明は管口フィルターに関し、詳しくは、公共施設、マンション、ショッピングセンター、飲食店、宅地造成地などの敷地において大量に降った雨水が一気に河川に流れ込むのを防止する雨水貯留浸透施設の貯留浸透槽などに好適に設置される管口フィルターに関する。
【背景技術】
【０００２】
近年、都市の急激な発展により開発が進み、地表は建物・舗装などに覆われ、自然な地形であったはずの山林、畑、草地などが著しく減少している。そのため、従来は、地中に浸透していたはずの雨水が下水道などを経由して一気に河川に流れ込み、都市型災害と呼ばれる洪水を引き起こす原因となっている。
【０００３】
その対策として、浸透トレンチ工法が採用されている。この工法は、砕石間の隙間を利用して、雨水を土壌に浸透させる工法である。ところが、砕石を利用した場合、工事延長に際し重労働であるため、これに代わるものとして合成樹脂製の貯留浸透槽が使われるようになっている。
【０００４】
この貯留浸透槽は、大雨のとき雨水が一気に流れ出てしまうのを防止し、雨水を土中に浸透させたり、貯留した雨水をオリフィスなどで徐々に放流させたりすることを目的としたものである。このような貯留浸透槽は、敷地内の周辺に複数個設置され、雨水配管により接続されている。
【０００５】
ところで、貯留浸透槽内部へ雨水を流入させる管には、ゴミなどによる槽内部の詰まりを防止するための管口フィルターが設置されている。図３は、このような従来の管口フィルター２を示したもので、図４は貯留浸透槽５に対する管口フィルター２の設置状態を示したものである。
【０００６】
この管口フィルター２は、ステンレスなどの金属から形成されている。管口フィルター２は、リング部４を有し、このリング部４に半球状に膨出して形成されたフィルター部６が設置されるとともに、複数の弾性脚部８が所定間隔置きに設置されている。また、リング４には、操作用のハンドル１０が設けられている。
【０００７】
このような管口フィルター２は、図４に示した貯水浸透槽５の桝７内に取り付けられる。すなわち、管口フィルター２のリング部４は、貯水浸透槽５の流入管９の内径と略同径に形成され、リング部４の弾性脚部８が流入管９の開口部に差し込まれることにより、桝７内に設置されている。そして、管口フィルター２が桝７内に設置された状態からハンドル１０を引き上げれば、管口フィルター２を自由に取り外すことができる。
【発明の開示】
【発明が解決しようとする課題】
【０００８】
ところで、このような構成の管口フィルター２では、ゴミなどを除去するためのフィルター部６は金属細線を格子状に編み込んだものから構成されている。
ここで、例えば、雨天の日、図４に示したように、桝７のグレーチング蓋１１から取り込まれた雨水は、先ず桝７の底部に落下し、雨量が多くなるに伴って次第に水位を上げて管口フィルター２に接近してくる。このとき、上昇してくる水には様々なごみが混入している。仮にこのごみがフィルター部６の周面に付着すると、フィルター部６における水の通路を塞いでしまい、結果として流入管９への通水が阻害される。
【０００９】
また、水の勢いが強かったり、ごみ量が多かったりすると、フィルター部６が水の流れる方向に潰れてしまうという問題もあった。
本発明はこのような従来の問題に鑑み、雨水貯留浸透施設の貯留浸透槽などに設置される管口フィルターの通水部の詰まりを防止し、さらにフィルター部が雨水の圧力でへこんでしまうのを可及的に防止することのできる管口フィルターを提供することを目的としている。
【課題を解決するための手段】
【００１０】
上記目的を達成するための本発明に係る管口フィルターは、
フィルター部の外周縁部に、流入管への取り付け部材が設置されるとともに、前記フィルター部の機械的強度を向上させるための骨部材が具備され、前記フィルター部が前記取り付け部材を介して前記流入管に取り付けられた場合に、前記フィルター部の下方部に、通水部を構成する孔に比べて大きな開口が形成されていることを特徴としている。
【００１１】
このような構成の管口フィルターによれば、降雨時に貯留浸透槽へ流入させるための桝に集水された雨水は桝の底部より徐々に水位を上昇させる。
その際、雨水に混入したゴミは、その軽重により分離する。すなわち、軽いゴミは水面近くに浮き、重いゴミは底部に溜まる。水面近くの軽いゴミは水位の上昇に伴って上昇する。
【００１２】
水位が管口フィルターの取り付け位置に達すると、雨水はフィルター部を通して貯留浸透槽に流入する。この時フィルター部の網目により貯留浸透槽の内部を詰まらすような大きなゴミは網目にかかり、流入を阻止される。その状態に至ると、網目部分の水の流入は阻害されるが、フィルター部下部の大きな開口部は閉塞されず常に雨水の流入が確保される。なお、ゴミは上昇した水位の水面近くにあり、ほとんど流入しない。また、閉塞したフィルター網目部分が水圧により押されても、フィルター部に骨部材が配置されているのでフィルター部の変形は防止される。
【００１３】
ここで、前記骨部材は、前記フィルター部を横断するように一体的に具備された線状部材であることが好ましい。
このような構成であれば、容易な構造でフィルター部の強度を向上させることができる。
【発明の効果】
【００１４】
本発明に係る管口フィルターによれば、水の上昇に伴ってゴミが浮上してきたとしても、フィルター部下方の大きな開口部からは水が常に貯留浸透槽に流入するので桝からの溢水を防ぐことができる。また、ゴミが混じった水の流れにより、フィルター部の周面に大きな力が作用するとしても、フィルター部に設けられた骨部材によりその変形を防止することができる。
【００１５】
さらに、骨部材がフィルター部に一体的に具備された線状部材であれば、その骨部材は邪魔になることもなく、容易に設置することができる。
【発明を実施するための最良の形態】
【００１６】
以下、図面に示した本発明の好ましい実施例について説明する。
図１は本発明の一実施例に係る管口フィルター２０の斜視図である。図２（Ａ）、（Ｂ）は本発明の一実施例に係る管口フィルター２０の正面図及びその側面図である。この管口フィルター２０は、図３および図４に示した管口フィルター２の場合と同様に、雨水貯留浸透施設の流入管９の開口部に着脱自在に設置される。
【００１７】
本実施例の管口フィルター２０は、流入管９の通水部の径と略同径のリング部２２を有している。また、このリング部２２には、略十字状に骨部材２３が一体的に具備されることにより、全体の強度が向上されている。そして、このリング部２２および骨部材２３の外面側に、メッシュ状のフィルター部２４が半球状に膨出して構成されている。この骨部材２３は、外周のリング部２２を構成するやや太い金属線と同様のものが使用されている。
【００１８】
一方、骨部材２３から外方に延長するように、流入管９に対する取り付け部材として止め具２６が４本突出されている。管口フィルター２０は、この止め具２６を介して図４に示した流入管９の開口部に着脱自在に設置される。なお、管口フィルター２０は、設置された状態において、ハンドル２８が上方に配置されることが好ましい。そして、このハンドル２８を介して管口フィルター２０の取り付け及び取り外しが行なわれる。
【００１９】
さらに、本実施例による管口フィルター２０では、フィルター部２４の下方部に、上下方向より水平方向に長い開口３０が設けられている。この開口３０は通水部を構成するメッシュ状の孔に比べてかなり大きい。
【００２０】
このような幅広の開口３０が形成されることにより、図４に示した桝７内において下方から水位が上昇して水と一緒に浮遊ゴミが上昇してきても、その開口３０から水は貯留浸透槽５に積極的に排出することができる。なお、貯留浸透槽５の内部を詰まらすような大きなゴミは、網目にかかり流入が阻止される。また、降雨時に多量のゴミが上昇してくる場合に、水による上昇速度が早いので、直ぐにフィルター部２４を乗り越える。よって、この大きな開口３０の付近にゴミが溜まってしまうことはなく、下方からの水の排出が促進される。また下方周辺には、ゴミの少ない状態が観察され、ゴミによる詰まりが生じることはない。
【００２１】
また、フィルター部２４に浮遊してきたゴミが、このフィルター部２４の周面に衝突するとしても、骨部材２３が十字状に配置されているため、フィルター部２４が変形してしまうのを防止することができる。よって、例えば、雨水貯留浸透施設の貯留浸透槽５などの流入管９用のフィルターとして設置された場合に、ゴミで詰まったり凹んでしまうのを防止することができる。
【００２２】
以上本発明の一実施例について説明したが、本発明は上記実施例に何ら限定されない。
例えば、上記実施例では、流入管９への取り付け部材としての止め具２６が金属細線で形成されているが、これらは、弾性変形可能な板状の金属部材で形成しても良い。また、フィルター部２４の通水用の小さい孔は矩形に限定されず、ひし形などであっても良い。また、通水用の孔の大きさは、限定されるものではないが、概ね５ｍｍ角〜２０ｍｍ角程度である。そして、開口３０の高さＳは、リング部２２の直径の１／１０〜１／５程度である。さらに、上記管口フィルター２０は金属でなくても合成樹脂により形成されていても良い。
【図面の簡単な説明】
【００２３】
【図１】図１は本発明の一実施例による管口フィルターの斜視図である。
【図２】図２（Ａ），（Ｂ）は、図１に示した管口フィルターの正面図、および側面図である。
【図３】図３は従来の管口フィルターの斜視図である。
【図４】図４は従来の雨水貯留浸透施設に設置された貯留浸透槽と管口フィルターとの設置状態を示す断面図である。
【符号の説明】
【００２４】
２      管口フィルター
９      流入管
５      貯留浸透槽
６      フィルター部
７      桝
２０    管口フィルター
２２    リング部
２３    骨部材
２４    フィルター部
２６    止め具（取り付け部材）
２８    ハンドル
３０    開口
【図１】
2009074288.tif 000003
【図２】
2009074288.tif 000004
【図３】
2009074288.tif 000005
【図４】
2009074288.tif 000006